(57)【要約】【課題】サイレントチェーンがスプロケットに巻き付く際、噛合い開始時に各列内のリンクプレートの歯とスプロケット歯との接触により発生する衝撃騒音、噛合い開始時のチェーン振動により発生する振動騒音を抑制することを目的とする。【解決手段】サイレントチェーンのガイド列１１及びリンク列１２には、スプロケット歯との噛合い開始時におけるばね定数が異なる２種類以上の第１のリンクプレートがランダムに複数配置される。該ばね定数が異なる第１のリンクプレート２，５，８は、歯３，６，９がピン孔中心線Ｌからスプロケット歯に噛合い始める内側フランク３ａ，６ａ，９ａの噛合い開始起点ｐ１，ｐ２，ｐ３までの距離ｍ１，ｍ２，ｍ３異なることにより、噛合い開始時におけるばね定数が異なっている。【選択図】図３
2008138789.tif 000002
【特許請求の範囲】
【請求項１】
一対の歯及び一対のピン孔を有し、スプロケット歯に内側フランクで噛合い始めて外側フランクで着座する第１のリンクプレートをチェーン長手方向に相互に位置をずらせてガイド列及びリンク列に複数配置すると共に、一対のピン孔を有するガイドプレートを該ガイド列に配置し、前記リンクプレート及びガイドプレートが各ピン孔に挿入した連結ピンで無端状に連結されてなるサイレントチェーンにおいて、
前記ガイド列及びリンク列の各列内には、スプロケット歯との噛合い開始時におけるばね定数が異なる少なくとも２種類の第１のリンクプレートがランダムに複数配置され、
前記ばね定数が異なる各第１のリンクプレートは、歯がピン孔中心線からスプロケット歯に噛合い始める内側フランクの噛合い開始起点までの距離が異なることにより、噛合い開始時におけるばね定数が異なっていることを特徴とするサイレントチェーン。
【請求項２】
一対の歯及び一対のピン孔を有し、スプロケット歯に内側フランクで噛合い始めて外側フランクで着座する第２のリンクプレートをチェーン長手方向に相互に位置をずらせてガイド列及びリンク列に複数配置すると共に、一対のピン孔を有するガイドプレートを該ガイド列に配置し、前記リンクプレート及びガイドプレートが各ピン孔に挿入した連結ピンで無端状に連結されてなるサイレントチェーンにおいて、
前記ガイド列及びリンク列の各列内には、スプロケット歯との噛合い開始時におけるばね定数が異なる少なくとも２種類の第２のリンクプレートがランダムに複数配置され、
前記ばね定数が異なる各第２のリンクプレートは、歯先端部近傍の内側フランクの異なった位置に外縁端部を有する逃げ凹部が形成され、該逃げ凹部の外縁端部がスプロケット歯に噛合い始める噛合い開始起点となっていることにより、噛合い開始時におけるばね定数が異なっていることを特徴とするサイレントチェーン。
【請求項３】
一対の歯及び一対のピン孔を有し、スプロケット歯に外側フランクで噛合い始めて外側フランクで着座する第３のリンクプレートをチェーン長手方向に相互に位置をずらせてガイド列及びリンク列に複数配置すると共に、一対のピン孔を有するガイドプレートを該ガイド列に配置し、前記リンクプレート及びガイドプレートが各ピン孔に挿入した連結ピンで無端状に連結されてなるサイレントチェーンにおいて、
前記ガイド列及びリンク列の各列内には、スプロケット歯との噛合い開始時におけるばね定数が異なる少なくとも２種類の第３のリンクプレートがランダムに複数配置され、
前記ばね定数が異なる各第３のリンクプレートは、歯がピン孔中心線からスプロケット歯に噛合い始める外側フランクの噛合い開始起点までの距離が異なることにより、噛合い開始時におけるばね定数が異なっていることを特徴とするサイレントチェーン。
【請求項４】
一対の歯及び一対のピン孔を有し、スプロケット歯に外側フランクで噛合い始めて外側フランクで着座する第４のリンクプレートをチェーン長手方向に相互に位置をずらせてガイド列及びリンク列に複数配置すると共に、一対のピン孔を有するガイドプレートを該ガイド列に配置し、前記リンクプレート及びガイドプレートが各ピン孔に挿入した連結ピンで無端状に連結されてなるサイレントチェーンにおいて、
前記ガイド列及びリンク列の各列内には、スプロケット歯との噛合い開始時におけるばね定数が異なる少なくとも２種類の第４のリンクプレートがランダムに複数配置され、
前記ばね定数が異なる各第４のリンクプレートは、歯先端部近傍の外側フランクの異なった位置に外縁端部を有する逃げ凹部が形成され、該逃げ凹部の外縁端部がスプロケット歯に噛合い始める噛合い開始起点となっていることにより、噛合い開始時におけるばね定数が異なっていることを特徴とするサイレントチェーン。
【請求項５】
一対の歯及び一対のピン孔を有し、スプロケット歯に内側フランクで噛合い始めて外側フランクで着座する第１、第２のリンクプレート、及び一対の歯及び一対のピン孔を有し、スプロケット歯に外側フランクで噛合い始めて外側フランクで着座する第３、第４のリンクプレートを複数チェーン長手方向に相互に位置をずらせてガイド列及びリンク列に配置すると共に、一対のピン孔を有するガイドプレートを該ガイド列に配置し、前記各リンクプレート及びガイドプレートが各ピン孔に挿入した連結ピンで無端状に連結されてなるサイレントチェーンにおいて、
前記ガイド列及びリンク列の各列内には、スプロケット歯との噛合い開始時におけるばね定数が異なる少なくとも２種類の前記リンクプレートがランダムに複数配置され、
ばね定数が異なる前記各第１のリンクプレートは、歯がピン孔中心線からスプロケット歯に噛合い始める内側フランクの噛合い開始起点までの距離が異なること、前記各第２のリンクプレートは、歯先端部近傍の内側フランクの異なった位置に外縁端部を有する逃げ凹部が形成され、該逃げ凹部の外縁端部がスプロケット歯に噛合い始める噛合い開始起点となっていること、前記各第３のリンクプレートは、歯がピン孔中心線からスプロケット歯に噛合い始める外側フランクの噛合い開始起点までの距離が異なること、前記各第４のリンクプレートは、歯先端部近傍の外側フランクの異なった位置に外縁端部を有する逃げ凹部が形成され、該逃げ凹部の外縁端部がスプロケット歯に噛合い始める噛合い開始起点となっていること等により、噛合い開始時におけるばね定数が異なっていることを特徴とするサイレントチェーン。
【請求項６】
前記ガイド列及びリンク列に配置した各々のリンクプレートは、スプロケット歯との噛合い開始時におけるばね定数が異なることにより、スプロケットへの巻付き開始時における振動発生のタイミングが分散していることを特徴とする請求項１乃至５のいずれかに記載のサイレントチェーン。
【発明の詳細な説明】
【技術分野】
【０００１】
本発明は、離間対設した一対のスプロケット間に巻き掛けて動力を伝達するサイレントチェーン、例えば、自動車エンジンからの動力を伝達する場合のパワードライブ用、あるいはタイミングドライブシステム用に適したサイレントチェーンに関し、特に、異なったばね定数を有する複数のリンクプレートがランダムに配置され、スプロケット歯との噛合い開始時における騒音をより低減することができ、制振作用にも優れたサイレントチェーンに関する。
【背景技術】
【０００２】
サイレントチェーンは、一対の歯及び一対のピン孔を有する複数のリンクプレートをチェーン長手方向に相互に位置をずらせてガイド列及びリンク列に配置すると共に、一対のピン孔を有するガイドプレートを該ガイド列の両最外に配置し、前記リンクプレート及びガイドプレートが各ピン孔に挿入した連結ピンで無端状に連結されたものである。
【０００３】
上記サイレントチェーンは、リンクプレートの歯がスプロケット歯と噛み合うとき、最初に歯先同士が接触して噛合い始め、スプロケット歯の歯面に沿ってリンクプレートの歯の外側フランク又は内側フランクのいずれか一方の面が接触しながら滑り込んで噛み合うため、衝撃が少なく、騒音の発生が抑制される。しかし、かかるサイレントチェーンの騒音抑制効果に満足できないとして、さらなる効果を期待して種々の改良したサイレントチェーンが提案されている。
【０００４】
従来の改良されたサイレントチェーン（図示略）のリンクプレートの一例を図１４に示す。このリンクプレート５１は、二股状の一対の歯５２，５２及び一対のピン孔５３，５３を有し、歯５２先端の内側フランク５４に、スプロケット歯と噛合い始めるはみ出し部５５を形成したものである。このリンクプレート５１をチェーン長手方向に位置をずらせてガイド列、リンク列に配置して、連結ピンで連結して形成したサイレントチェーンは、各列に同じ外殻形状のリンクプレート５１が配置されたものである。
【０００５】
上記サイレントチェーンは、スプロケットに巻き付く際、ガイド列又はリンク列に配置されている各々のリンクプレート５１が歯５２先端の内側フランク５４に形成されたはみ出し部５５がスプロケット歯の歯先側に接触して噛合い始め、スプロケット歯の歯面に沿ってはみ出し部５５が接触摺動し乍らスプロケット歯の歯底側に滑り込み、滑り込む途上で噛合いが外側フランク５６に移行し、はみ出し部５５がスプロケット歯の歯面から離間し、リンクプレート５１の両外の外側フランク５６がスプロケット歯に接触して着座状態となる。このサイレントチェーンは、いわゆる内股噛合い・外股着座の噛合いタイプのものである（例えば、特許文献１参照。）。
【特許文献１】特許第３０７５９８６号公報
【発明の開示】
【発明が解決しようとする課題】
【０００６】
前記従来のサイレントチェーンを構成する各々のリンクプレート５１は、はみ出し部５５が内側フランク５４の同じ位置に形成された同一形状の歯５２からなり、同じ位置で噛合い始めるため、スプロケット歯との噛合い開始時のばね定数が異ならない。このようなリンクプレート５１がガイド列又はリンク列に配置されていると、噛合い開始時に各列内のリンクプレート５１はスプロケット歯に同時に接触することとなり、そのため、接触衝撃音が同時に発生し、騒音抑制が充分に行われない、という問題がある。また、はみ出し部５５が内側フランク５４に形成されているため、スプロケット歯との噛合い開始時に、列内の各々のリンクプレート５１が同時に浮き上がってチェーンの多角形運動が増幅されて振動が発生し、この振動により振動騒音が発生する、という問題がある。
【０００７】
そこで、本発明は、前記問題を解決し、サイレントチェーンがスプロケットに巻き付く際、噛合い開始時に各列内のリンクプレートの歯とスプロケット歯との接触により発生する衝撃騒音、噛合い開始時のチェーン振動により発生する振動騒音を抑制することができるサイレントチェーンを提供することを目的とする。
【課題を解決するための手段】
【０００８】
請求項１に係る本発明は、一対の歯及び一対のピン孔を有し、スプロケット歯に内側フランクで噛合い始めて外側フランクで着座する第１のリンクプレートをチェーン長手方向に相互に位置をずらせてガイド列及びリンク列に複数配置すると共に、一対のピン孔を有するガイドプレートを該ガイド列に配置し、前記リンクプレート及びガイドプレートが各ピン孔に挿入した連結ピンで無端状に連結されてなるサイレントチェーンにおいて、前記ガイド列及びリンク列の各列内には、スプロケット歯との噛合い開始時におけるばね定数が異なる少なくとも２種類の第１のリンクプレートがランダムに複数配置され、前記ばね定数が異なる各第１のリンクプレートは、歯がピン孔中心線からスプロケット歯に噛合い始める内側フランクの噛合い開始起点までの距離が異なることにより、噛合い開始時におけるばね定数が異なっているサイレントチェーン、という構成とすることにより前記課題を解決したものである。
【０００９】
請求項２に係る本発明は、一対の歯及び一対のピン孔を有し、スプロケット歯に内側フランクで噛合い始めて外側フランクで着座する第２のリンクプレートをチェーン長手方向に相互に位置をずらせてガイド列及びリンク列に複数配置すると共に、一対のピン孔を有するガイドプレートを該ガイド列に配置し、前記リンクプレート及びガイドプレートが各ピン孔に挿入した連結ピンで無端状に連結されてなるサイレントチェーンにおいて、前記ガイド列及びリンク列の各列内には、スプロケット歯との噛合い開始時におけるばね定数が異なる少なくとも２種類の第２のリンクプレートがランダムに複数配置され、前記ばね定数が異なる各第２のリンクプレートは、歯先端部近傍の内側フランクの異なった位置に外縁端部を有する逃げ凹部が形成され、該逃げ凹部の外縁端部がスプロケット歯に噛合い始める噛合い開始起点となっていることにより、噛合い開始時におけるばね定数が異なっているサイレントチェーン、という構成とすることにより前記課題を解決したものである。
【００１０】
請求項３に係る本発明は、一対の歯及び一対のピン孔を有し、スプロケット歯に外側フランクで噛合い始めて外側フランクで着座する第３のリンクプレートをチェーン長手方向に相互に位置をずらせてガイド列及びリンク列に複数配置すると共に、一対のピン孔を有するガイドプレートを該ガイド列に配置し、前記リンクプレート及びガイドプレートが各ピン孔に挿入した連結ピンで無端状に連結されてなるサイレントチェーンにおいて、前記ガイド列及びリンク列の各列内には、スプロケット歯との噛合い開始時におけるばね定数が異なる少なくとも２種類の第３のリンクプレートがランダムに複数配置され、前記ばね定数が異なる各第３のリンクプレートは、歯がピン孔中心線からスプロケット歯に噛合い始める外側フランクの噛合い開始起点までの距離が異なることにより、噛合い開始時におけるばね定数が異なっているサイレントチェーン、という構成とすることにより前記課題を解決したものである。
【００１１】
請求項４に係る本発明は、一対の歯及び一対のピン孔を有し、スプロケット歯に外側フランクで噛合い始めて外側フランクで着座する第４のリンクプレートをチェーン長手方向に相互に位置をずらせてガイド列及びリンク列に複数配置すると共に、一対のピン孔を有するガイドプレートを該ガイド列に配置し、前記リンクプレート及びガイドプレートが各ピン孔に挿入した連結ピンで無端状に連結されてなるサイレントチェーンにおいて、前記ガイド列及びリンク列の各列内には、スプロケット歯との噛合い開始時におけるばね定数が異なる少なくとも２種類の第４のリンクプレートがランダムに複数配置され、前記ばね定数が異なる各第４のリンクプレートは、歯先端部近傍の外側フランクの異なった位置に外縁端部を有する逃げ凹部が形成され、該逃げ凹部の外縁端部がスプロケット歯に噛合い始める噛合い開始起点となっていることにより、噛合い開始時におけるばね定数が異なっているサイレントチェーン、という構成とすることにより前記課題を解決したものである。
【００１２】
請求項５に係る本発明は、一対の歯及び一対のピン孔を有し、スプロケット歯に内側フランクで噛合い始めて外側フランクで着座する第１、第２のリンクプレート、及び一対の歯及び一対のピン孔を有し、スプロケット歯に外側フランクで噛合い始めて外側フランクで着座する第３、第４のリンクプレートを複数チェーン長手方向に相互に位置をずらせてガイド列及びリンク列に配置すると共に、一対のピン孔を有するガイドプレートを該ガイド列に配置し、前記各リンクプレート及びガイドプレートが各ピン孔に挿入した連結ピンで無端状に連結されてなるサイレントチェーンにおいて、前記ガイド列及びリンク列の各列内には、スプロケット歯との噛合い開始時におけるばね定数が異なる少なくとも２種類の前記リンクプレートがランダムに複数配置され、ばね定数が異なる前記各第１のリンクプレートは、歯がピン孔中心線からスプロケット歯に噛合い始める内側フランクの噛合い開始起点までの距離が異なること、前記各第２のリンクプレートは、歯先端部近傍の内側フランクの異なった位置に外縁端部を有する逃げ凹部が形成され、該逃げ凹部の外縁端部がスプロケット歯に噛合い始める噛合い開始起点となっていること、前記各第３のリンクプレートは、歯がピン孔中心線からスプロケット歯に噛合い始める外側フランクの噛合い開始起点までの距離が異なること、前記各第４のリンクプレートは、歯先端部近傍の外側フランクの異なった位置に外縁端部を有する逃げ凹部が形成され、該逃げ凹部の外縁端部がスプロケット歯に噛合い始める噛合い開始起点となっていること等により、噛合い開始時におけるばね定数が異なっているサイレントチェーン、という構成とすることにより前記課題を解決したものである。
【００１３】
請求項６に係る本発明は、前記請求項１乃至５のいずれかに係る本発明のサイレントチェーンにおいて、前記ガイド列及びリンク列に配置した各々のリンクプレートは、スプロケット歯との噛合い開始時におけるばね定数が異なることにより、スプロケットへの巻付き開始時における振動発生のタイミングが分散している、という構成としたものである。
【００１４】
なお、本発明におけるリンクプレートの噛合い開始時におけるばね定数ｋとは、リンクプレートの歯がスプロケット歯に最初に接触するときに、歯の噛合い開始起点に作用する荷重Ｗｋｇｆとそれによって生じるたわみδｍｍとの比のことであり、ｋ＝Ｗ／δの関係にある。
【発明の効果】
【００１５】
請求項１に係る本発明のサイレントチェーンは、一対の歯及び一対のピン孔を有し、スプロケット歯に内側フランクで噛合い始めて外側フランクで着座する複数の第１のリンクプレートからなり、ガイド列及びリンク列の各列内には、スプロケット歯との噛合い開始時におけるばね定数が異なる少なくとも２種類の第１のリンクプレートがランダムに複数配置され、前記ばね定数が異なる各第１のリンクプレートは、歯がピン孔中心線からスプロケット歯に噛合い始める内側フランクの噛合い開始起点までの距離が異なることにより、噛合い開始時におけるばね定数が異なっているので、サイレントチェーンがスプロケットに巻き付く際、スプロケット歯とリンクプレートの歯との接触時のタイミングが分散されるため、接触時の衝撃騒音を抑制することができ、また、スプロケット歯との噛合い開始時におけるばね定数の異なるリンクプレートがタイミングをずらせて接触し、ガイド列及びリンク列の各々の列内にあるリンクプレート列のばね定数が徐々に増加するため、制振作用が得られると共に、振動発生のタイミングが分散され、チェーンの振動騒音を抑制することができる。
【００１６】
請求項２に係る本発明のサイレントチェーンは、一対の歯及び一対のピン孔を有し、スプロケット歯に内側フランクで噛合い始めて外側フランクで着座する複数の第２のリンクプレートからなり、ガイド列及びリンク列の各列内には、スプロケット歯との噛合い開始時におけるばね定数が異なる少なくとも２種類の第２のリンクプレートがランダムに複数配置され、前記ばね定数が異なる各第２のリンクプレートは、歯先端部近傍の内側フランクの異なった位置に外縁端部を有する逃げ凹部が形成され、該逃げ凹部の外縁端部がスプロケット歯に噛合い始める噛合い開始起点となっていることにより、噛合い開始時におけるばね定数が異なっているので、サイレントチェーンがスプロケットに巻き付く際、スプロケット歯とリンクプレートの歯との接触タイミングが分散されるため、接触時の衝撃騒音を抑制することができ、また、スプロケット歯との噛合い開始時におけるばね定数の異なるリンクプレートがタイミングをずらせて接触し、ガイド列及びリンク列の各々の列内におけるリンクプレート列のばね定数が徐々に増加するため、制振作用が得られると共に、振動発生のタイミングが分散され、チェーンの振動騒音を抑制することができる。
【００１７】
請求項３に係る本発明のサイレントチェーンは、一対の歯及び一対のピン孔を有し、スプロケット歯に外側フランクで噛合い始めて外側フランクで着座する複数の第３のリンクプレートからなり、ガイド列及びリンク列の各列内には、スプロケット歯との噛合い開始時におけるばね定数が異なる少なくとも２種類の第３のリンクプレートがランダムに複数配置され、前記ばね定数が異なる各第３のリンクプレートは、歯がピン孔中心線からスプロケット歯に噛合い始める外側フランクの噛合い開始起点までの距離が異なるので、サイレントチェーンがスプロケットに巻き付く際、スプロケット歯とリンクプレートの歯との接触タイミングが分散されるため、接触時の衝撃騒音を抑制することができ、また、スプロケット歯との噛合い開始時におけるばね定数の異なるリンクプレートがタイミングをずらせて接触し、ガイド列及びリンク列の各々の列内におけるリンクプレート列のばね定数が順次増加するため、制振作用が得られると共に、振動発生のタイミングが分散され、チェーンの振動騒音を抑制することができる。
【００１８】
請求項４に係る本発明のサイレントチェーンは、一対の歯及び一対のピン孔を有し、スプロケット歯に外側フランクで噛合い始めて外側フランクで着座する複数の第４のリンクプレートからなり、ガイド列及びリンク列の各列内には、スプロケット歯との噛合い開始時におけるばね定数が異なる少なくとも２種類の第４のリンクプレートがランダムに複数配置され、前記ばね定数が異なる各第４のリンクプレートは、歯先端部近傍の外側フランクの異なった位置に外縁端部を有する逃げ凹部が形成され、該逃げ凹部の外縁端部がスプロケット歯に噛合い始める噛合い開始起点となっていることにより、噛合い開始時におけるばね定数が異なっているので、サイレントチェーンがスプロケットに巻き付く際、スプロケット歯とリンクプレートの歯との接触タイミングが分散されるため、接触時の衝撃騒音を抑制することができ、また、スプロケット歯との噛合い開始時におけるばね定数の異なるリンクプレートがタイミングをずらせて接触し、ガイド列及びリンク列の各々の列内におけるリンクプレート列のばね定数が順次増加するため、制振作用が得られると共に、振動発生のタイミングが分散され、チェーンの振動騒音を抑制することができる。
【００１９】
請求項５に係る本発明のサイレントチェーンは、一対の歯及び一対のピン孔を有し、スプロケット歯に内側フランクで噛合い始めて外側フランクで着座する複数の第１、第２のリンクプレート、及び一対の歯及び一対のピン孔を有し、スプロケット歯に外側フランクで噛合い始めて外側フランクで着座する複数の第３、第４のリンクプレートからなり、
ガイド列及びリンク列の各列内には、スプロケット歯との噛合い開始時におけるばね定数が異なる少なくとも２種類の前記リンクプレートがランダムに複数配置され、ばね定数が異なる前記各第１のリンクプレートは、歯がピン孔中心線からスプロケット歯に噛合い始める内側フランクの噛合い開始起点までの距離が異なること、前記各第２のリンクプレートは、歯先端部近傍の内側フランクの異なった位置に外縁端部を有する逃げ凹部が形成され、該逃げ凹部の外縁端部がスプロケット歯に噛合い始める噛合い開始起点となっていること、前記各第３のリンクプレートは、歯がピン孔中心線からスプロケット歯に噛合い始める外側フランクの噛合い開始起点までの距離が異なること、前記各第４のリンクプレートは、歯先端部近傍の外側フランクの異なった位置に外縁端部を有する逃げ凹部が形成され、該逃げ凹部の外縁端部がスプロケット歯に噛合い始める噛合い開始起点となっていること等により、噛合い開始時におけるばね定数が異なっているので、サイレントチェーンがスプロケットに巻き付く際、スプロケット歯とリンクプレートの歯との接触タイミングが分散されるため、接触時の衝撃騒音を抑制することができ、また、スプロケット歯との噛合い開始時におけるばね定数の異なるリンクプレートがタイミングをずらせて接触し、ガイド列及びリンク列の各々の列内におけるリンクプレート列のばね定数が順次増加するため、制振作用が得られると共に、振動発生のタイミングが分散され、チェーンの振動騒音を抑制することができる。
【００２０】
請求項６に係る本発明のサイレントチェーンは、ガイド列及びリンク列に配置した各々のリンクプレートが、スプロケット歯との噛合い開始時におけるばね定数が異なることにより、スプロケットへの巻付き開始時における振動発生のタイミングが分散しているので、
サイレントチェーンがスプロケットに巻き付く際、噛合い開始時の振動騒音を抑制することができる。
【発明を実施するための最良の形態】
【００２１】
サイレントチェーンには、リンクプレートの二股状に形成された一対の歯の形状により種々の噛合いタイプがあり、主なものとして、いわゆる内股噛合い・外股着座タイプのサイレントチェーン、外股噛合い・外股着座タイプのサイレントチェーン等がある。前者の内股噛合い・外股着座タイプのサイレントチェーンは、スプロケット歯と噛合い始めるとき、リンクプレート歯先端部近傍の内側フランクの噛合い開始起点がスプロケット歯に接触して内側フランクから噛み合いはじめ、その途上で噛合いが内側フランクから外側フランクに移行したところで、両側の外側フランクがスプロケット歯に接触して着座する。また、後者の外股噛合い・外股着座タイプのサイレントチェーンは、リンクプレート歯先端部近傍の外側フランクの噛合い開始起点がスプロケット歯に接触して外側フランクから噛み合いはじめ、そのまま噛合い動作終了まで歯面に沿って接触し続け、両側の外側フランクがスプロケット歯に接触して着座する。
【００２２】
そこで、実施例１，２として、内股噛合い・外股着座タイプの第１のリンクプレート、第２のリンクプレートからなるサイレントチェーン、実施例３，４として、外股噛合い・外股着座タイプの第３のリンクプレート、第４のリンクプレートからなるサイレントチェーン、実施例５として、第１〜第４のリンクプレートを適宜に混在させて形成したサイレントチェーンについて説明する。
【実施例１】
【００２３】
本発明の実施例１を図１〜図７に基づいて説明する。図１はサイレントチェーンの一部平面図、図２はサイレントチェーンの一部側面図、図３の（Ａ）、（Ｂ）、（Ｃ）は歯先端形状が異なるリンクプレートの側面図、図４は図３の（Ａ）、（Ｂ）、（Ｃ）のリンクプレートを重ねたときの形状比較の説明図、図５はスプロケット歯とリンクプレートの歯との噛合い過程の説明図、図６は歯先端部近傍の形状が異なるリンクプレートの歯の噛合い開始起点の説明図、図７はスプロケット歯に噛み合うときのばね定数の時間変化を示すグラフであり、（Ａ）は本発明対応、（Ｂ）は従来例対応のグラフである。
【００２４】
実施例１のサイレントチェーン１は、内股噛合い・外股着座タイプのサイレントチェーンであり、噛合いピッチ寸法、ピン孔中心間距離が同一で、噛合い開始起点の位置が異なる鋼板製の３種類の第１のリンクプレート２，５，８からなり、各第１のリンクプレート２，５，８はスプロケット歯１６に内側フランク３ａ、６ａ、９ａで噛合い始めて外側フランク３ｂ、６ｂ、９ｂで着座する。
【００２５】
第１のリンクプレート２は、図３（Ａ）に示すように、一対の歯３，３及び一対のピン孔４，４を有する。一対の歯３，３は二股状をなし、内側フランク３ａ、外側フランク３ｂを備え、この歯３は、スプロケット歯１６（図５，図６等参照。）と噛合い始める噛合い開始起点ｐ１が、歯先端部付近の内側フランク３ａの湾曲面３ｄ形成の起点あるいはそのすぐ近傍にあり、ピン孔４，４の中心線Ｌから噛合い開始起点ｐ１までの距離がｍ１となっている。
【００２６】
第１のリンクプレート５は、図３（Ｂ）に示すように、一対の歯６，６及び一対のピン孔７，７を有する。一対の歯６，６は二股状をなし、内側フランク６ａ、外側フランク６ｂを備え、この歯６は、歯先端部近傍の形状が前記湾曲面３ｄと異なった形状の湾曲面６ｄをなし、スプロケット歯１６と噛合い始める噛合い開始起点ｐ２が、歯先端部付近の内側フランク６ａの湾曲面６ｄ形成の起点あるいはそのすぐ近傍にあり、ピン孔７，７の中心線Ｌから噛合い開始起点ｐ２までの距離がｍ２となっている。
【００２７】
第１のリンクプレート８は、図３（Ｃ）に示すように、一対の歯９，９及び一対のピン孔１０，１０を有する。一対の歯９，９は二股状をなし、内側フランク９ａ、外側フランク９ｂを備え、この歯９は、歯先端部近傍の形状が前記湾曲面３ｄ、６ｄと異なった形状の湾曲面９ｄをなし、スプロケット歯１６と噛合い始める噛合い開始起点ｐ３が、歯先端部付近の内側フランク９ａの湾曲面９ｄ形成の起点あるいはそのすぐ近傍にあり、ピン孔１０，１０の中心線Ｌから噛合い開始起点ｐ３までの距離がｍ３となっている。上記各リンクプレートの歯先端部近傍の湾曲面３ｄ、６ｄ、９ｄは、スプロケット歯１６との噛合い開始時期をずらせるための逃げとなっている。
【００２８】
上記歯先端部近傍の形状が異なる３種類の第１のリンクプレート２，５，８は、距離ｍ１，ｍ２，ｍ３が、ｍ１＞ｍ２＞ｍ３の関係にあり、スプロケット歯１６と噛合い始める噛合い開始起点ｐ１，ｐ２，ｐ３は、順次ピン孔中心線Ｌから遠い位置にある。これら第１のリンクプレート２，５，８を重ね合わせると、図４に示すように、歯先端部近傍の湾曲面３ｄ、６ｄ、９ｄの形状が異なり、噛合い開始起点ｐ１，ｐ２，ｐ３が僅かにずれたものとなっている。
【００２９】
第１のリンクプレート２，５，８は、上記のように、歯３，６，９がピン孔中心線Ｌから噛合い開始起点ｐ１，ｐ２，ｐ３までの距離ｍ１，ｍ２，ｍ３が異なることにより、スプロケット歯に噛合い始める内側フランクの噛合い開始起点ｐ１，ｐ２，ｐ３が僅かにずれた位置になる。これらリンクプレート２，５，８は、スプロケット歯１６との噛合い開始起点ｐ１，ｐ２，ｐ３の位置によりスプロケット歯１６との噛合い開始時におけるばね定数ｋ１，ｋ２，ｋ３が決まり、ｋ１＜ｋ２＜ｋ３の関係にある。
【００３０】
なお、リンクプレートの噛合い開始時におけるばね定数ｋとは、リンクプレートの歯がスプロケット歯に最初に接触するときに、歯の噛合い開始起点に作用する荷重Ｗｋｇｆとそれによって生じるたわみδｍｍとの比のことであり、ｋ＝Ｗ／δの関係にある。
【００３１】
サイレントチェーン１は、複数の第１のリンクプレート２，５，８をチェーン長手方向に相互に位置をずらせてランダムにガイド列１１及びリンク列１２に配置し、一対のピン孔１３，１３を有するガイドプレート１４をガイド列１１の最外に配置して、各リンクプレート２，５，８及びガイドプレート１４を各ピン孔４，７，１０，１３に挿入した連結ピン１５で無端状に連結して形成される。この場合、ガイドプレート１４のピン孔１３，１３に連結ピン１５の両端部が嵌着固定される。このように形成されたサイレントチェーン１は、ガイド列１１あるいはリンク列１２の各列内に、異なるばね定数ｋ１，ｋ２，ｋ３からなる複数の第１のリンクプレート２，５，８がランダムに混在する。
【００３２】
以上サイレントチェーン１の構成について説明したが、以下作用効果について説明する。サイレントチェーン１は、図示は省略するが、一対のスプロケット間に巻き掛けられ、一方のスプロケットを駆動回転させ、他方のスプロケットを回転させて動力を伝達する。
【００３３】
サイレチェーン１の各々の列に配置されている各第１のリンクプレート２，５，８スプロケット歯１６に噛み合うときの噛合い作動は同じなので、便宜的に、１つの第１のリンクプレート２の噛合い作動について説明する。
【００３４】
サイレントチェーン１が駆動側スプロケットに巻き付くとき、図５に示すように、列内に配置されている第１のリンクプレート２は、駆動側スプロケットが矢印方向に回転すると、進行方向前方にある歯３の内側フランク３ａの噛合い開始起点ｐ１がスプロケット歯１６に接触して歯面１６ａに沿って歯底１６ｂ側に移動し、その途上で噛合いが外側フランク３ｂ側に移行し、噛合い開始起点ｐ１が歯面１６ａから離間すると共に、外側フランク３ｂがスプロケット歯１６の歯面１６ａに接触摺動して、リンクプレート２の歯３両外の外側フランク３ｂ、３ｂがそれぞれスプロケット歯１６，１６の歯面１６ａ，１６ａに接触して着座する（図５における実線部分）。
【００３５】
この着座状態では内側フランク３ａ、３ａ及びクロッチ部３ｅがスプロケット歯１６と非接触状態になっている。この場合、噛合い開始時にスプロケット歯１６と接触しない側の内側フランク３ａは噛合い作動中スプロケット歯１６と一度も接触することなく、また、両外側の外側フランク３ｂ、３ｂは着座時のみスプロケット歯１６と接触するが、噛合い作動中スプロケット歯１６と一度も接触しない。
【００３６】
サイレントチェーン１は、各々の列に配置されている他の第１のリンクプレート５，８も上記リンクプレート２と同じような噛合い作動する。そのため、サイレントチェーン１がスプロケットに巻付き始め、リンクプレート２，５，８の歯３，６，９がスプロケット歯１６と噛み合うとき、図６に示すように、各列内にあるリンクプレート２，５，８の噛合い開始起点ｐ１，ｐ２，ｐ３がスプロケット歯１６に順次接触するので、接触のタイミングが分散され、噛合い開始時における衝撃騒音を抑制することができる。
【００３７】
また、リンクプレート２，５，８は、スプロケット歯１６との噛合い開始時におけるばね定数ｋ１，ｋ２，ｋ３が異なるので、これらリンクプレート２，５，８が順次噛合い始めると、ガイド列１１及びリンク列１２の各々の列内におけるリンクプレート列のばね定数が徐々に増加するため制振作用が得られる。それと共に、振動発生のタイミングが分散されるので、チェーンの振動騒音を抑制することができる。
【００３８】
ここで、上記の制振作用が得られることについて、図７を参照して説明する。本発明例（Ａ）の場合、実施例１のように、例えば３枚の３種類の第１のリンクプレート２，５，８からなる列のばね定数は、噛合い開始時にＫ１＝ｋ１で、時間経過と共に、Ｋ２＝ｋ１＋ｋ２、Ｋ３＝ｋ１＋ｋ２＋ｋ３のように徐々に増大するが、従来例（Ｂ）の場合、特許文献１のように同種類の３枚のリンクプレート（例えば、ばね定数ｋ３）からなる列のばね定数は、噛合い開始と同時に一度に、Ｋ３＝ｋ３＋ｋ３＋ｋ３となるため、本発明例（Ａ）の場合の方が、従来例（Ｂ）の場合より、より効果的に制振作用が得られる。
【実施例２】
【００３９】
実施例２のサイレントチェーン（図示略）は、前記実施例１のサイレントチェーン１と同じように、一対の歯を有する複数の第２のリンクプレートからなる内股噛合い・外股着座タイプのサイレントチェーンであり、実施例１のサイレントチェーン１とは、リンクプレートの噛合い開始起点の形成態様が相違するだけである。そこで、サイレントチェーン全体構造の説明を省略し、図８を参照して第２のリンクプレートの歯の形状について以下説明する。図８は実施例２のサイレントチェーンに用いる第２のリンクプレートの要部を示し、歯先端部近傍の内側フランクに逃がし凹部を形成した歯の噛合い開始起点の説明図である。
【００４０】
この実施例２のサイレントチェーンは、噛合いピッチ寸法、ピン孔中心間距離が同一で、噛合い開始起点の位置が異なる鋼板製の３種類の第２のリンクプレートからなり、各リンクプレートはスプロケット歯１６に内側フランク２１ａ，２２ａ，２３ａで噛合い始めて外側フランク２１ｂ，２２ｂ，２３ｂで着座する。この場合、噛合い開始時にスプロケット歯１６と接触しない側の内側フランク２１ａ，２２ａ，２３ａは噛合い作動中スプロケット歯１６と一度も接触することなく、また、両外側の外側フランク（図示略）は着座時のみスプロケット歯１６と接触するが、噛合い作動中スプロケット歯１６と一度も接触しない。
【００４１】
図８に示すように、各第２のリンクプレートは、歯２１，２２，２３の歯先端部近傍の内側フランク２１ａ，２２ａ，２３ａの異なった位置に外縁端部２１ｃ，２２ｃ，２３ｃを有する逃げ凹部２１ｄ，２２ｄ，２３ｄが形成され、これら逃げ凹部の外縁端部２１ｃ，２２ｃ，２３ｃがスプロケット歯１６に噛合い始める噛合い開始起点ｐ４，ｐ５，ｐ６となっている。
【００４２】
前記３種類の第２のリンクプレートは、スプロケット歯１６との噛合い開始起点ｐ４，ｐ５，ｐ６の位置が異なることにより、スプロケット歯１６との噛合い開始時におけるばね定数が異なり、このばね定数が異なるリンクプレートが複数チェーン長手方向に相互に位置をずらせてランダムにガイド列及びリンク列に配置される。
【００４３】
以上実施例２のサイレントチェーンの構成について説明したが、以下作用効果について説明する。サイレントチェーンがスプロケットに巻付き始め、各第２のリンクプレートの歯２１，２２，２３がスプロケット歯１６と噛み合うとき、各列内にあるリンクプレートの噛合い開始起点ｐ４，ｐ５，ｐ６がスプロケット歯１６に順次接触するので、スプロケット歯とリンクプレートの歯との接触タイミングが分散され、接触時の衝撃騒音を抑制することができる。
【００４４】
また、各第２のリンクプレートは、スプロケット歯１６との噛合い開始時におけるばね定数が異なるので、前記実施例１と同じように、各リンクプレートが順次噛合い始めると、ガイド列及びリンク列の各々の列内におけるリンクプレート列のばね定数が徐々に増加するため制振作用が得られる。それと共に、振動発生のタイミングが分散されるので、チェーンの振動騒音を抑制することができる。
【実施例３】
【００４５】
本発明の実施例３を図９〜図１２に基づいて説明する。図９の（Ａ）、（Ｂ）、（Ｃ）は歯先端形状が異なるリンクプレートの正面図、図１０は図９の（Ａ）、（Ｂ）、（Ｃ）のリンクプレートを重ねたときの形状比較の説明図、図１１はスプロケット歯とリンクプレートの歯との噛合い過程の説明図、図１２は歯先端部近傍の形状が異なるリンクプレートの歯の噛合い開始起点の説明図である。
【００４６】
実施例３のサイレントチェーンは、外股噛合い・外股着座タイプのサイレントチェーンであり、噛合いピッチ寸法、ピン孔中心間距離が同一で、噛合い開始起点の位置が異なる鋼板製の３種類の第３のリンクプレート３２，３５，３８からなる。第３のリンクプレート３２は、図９（Ａ）に示すように、一対の歯３３，３３及び一対のピン孔３４，３４を有する。一対の歯３３，３３は二股状をなし、内側フランク３３ａ、外側フランク３３ｂを備え、この歯３３は、スプロケット歯１６（図５，図６等参照。）と噛合い始める噛合い開始起点ｑ１が、歯先端部付近の外側フランク３３ｂの湾曲面３３ｄ形成の起点あるいはそのすぐ近傍にあり、ピン孔３４，３４の中心線Ｌから噛合い開始起点ｑ１までの距離がｎ１となっている。
【００４７】
リンクプレート３５は、図９（Ｂ）に示すように、一対の歯３６，３６及び一対のピン孔３７，３７を有する。一対の歯３６，３６は二股状をなし、内側フランク３６ａ、外側フランク３６ｂを備え、この歯３６は、歯先端部近傍の形状が前記湾曲面３３ｄと異なった形状の湾曲面３６ｄをなし、スプロケット歯１６と噛合い始める噛合い開始起点ｑ２が、歯先端部付近の外側フランク３６ｂの湾曲面３６ｄ形成の起点あるいはそのすぐ近傍にあり、ピン孔３７，３７の中心線Ｌから噛合い開始起点ｑ２までの距離がｎ２となっている。
【００４８】
リンクプレート３８は、図９（Ｃ）に示すように、一対の歯３９，３９及び一対のピン孔４０，４０を有する。一対の歯３９，３９は二股状をなし、内側フランク３９ａ、外側フランク３９ｂを備え、この歯３９は、歯先端部近傍の形状が前記湾曲面３３ｄ、３６ｄと異なった形状の湾曲面３９ｄをなし、スプロケット歯１６と噛合い始める噛合い開始起点ｑ３が、歯先端部付近の外側フランク３９ｂの湾曲面３９ｄ形成の起点あるいはそのすぐ近傍にあり、ピン孔４０，４０の中心線Ｌから噛合い開始起点ｑ３までの距離がｎ３となっている。上記各リンクプレートの歯先端部近傍の湾曲面３３ｄ，３６ｄ，３９ｄは、スプロケット歯１６との噛合い開始時期をずらせるための逃げとなっている。
【００４９】
上記歯先端部近傍の形状が異なる３種類の第３のリンクプレート３２，３５，３８は、距離ｎ１，ｎ２，ｎ３が、ｎ１＞ｎ２＞ｎ３の関係にあり、スプロケット歯１６と噛合い始める噛合い開始起点ｑ１，ｑ２，ｑ３は、順次ピン孔中心線Ｌから遠い位置にある。これらリンクプレート３２，３５，３８を重ね合わせると、図１０に示すように、歯先端部近傍の湾曲面３３ｄ、３６ｄ、３９ｄの形状が異なり、噛合い開始起点ｑ１，ｑ２，ｑ３が僅かにずれている。
【００５０】
リンクプレート３２，３５，３８は、それぞれ歯３３，３６，３９がピン孔中心線Ｌから噛合い開始起点ｑ１，ｑ２，ｑ３までの距離ｎ１，ｎ２，ｎ３が異なることにより、スプロケット歯１６に噛合い始める外側フランクの噛合い開始起点ｑ１，ｑ２，ｑ３が異なる位置になる。これらリンクプレート３２，３５，３８は、スプロケット歯１６との噛合い開始起点ｑ１，ｑ２，ｑ３の位置によりスプロケット歯１６との噛合い開始時におけるばね定数ｋ４，ｋ５，ｋ６が決まり、ｋ４＜ｋ５＜ｋ６の関係にある。
【００５１】
サイレントチェーンは、複数のリンクプレート３２，３５，３８をチェーン長手方向に相互に位置をずらせてランダムにガイド列及びリンク列にリンクプレート列を形成するように配置し、一対のピン孔を有するガイドプレートをガイド列の最外に配置し、各リンクプレート３２，３５，３８及びガイドプレートを各ピン孔に挿入した連結ピンで無端状に連結して形成される。このように形成されたサイレントチェーンは、ガイド列あるいはリンク列の各列内に、異なるばね定数ｋ４，ｋ５，ｋ６からなる複数のリンクプレート３２，３５，３８がランダムに混在する。
【００５２】
以上実施例３のサイレントチェーンの構成について説明したが、以下作用効果について説明する。サイレントチェーンは、図示は省略するが、一対のスプロケット間に巻掛けられ、一方のスプロケットを駆動回転させ、他方のスプロケットを回転させて動力を伝達する。
【００５３】
サイレントチェーンの各々の列に配置されている個々の第３のリンクプレート３２，３５，３８の噛合い作動は同じなので、便宜的に、１つのリンクプレート３２の噛合い作動について説明する。
【００５４】
サイレントチェーンが駆動側スプロケットに巻き付くとき、図１１に示すように、列内に配置されている第３のリンクプレート３２は、駆動側スプロケットが矢印方向に回転すると、進行方向後方にある歯３３の外側フランク３３ｂの噛合い開始起点ｑ１がスプロケット歯１６に接触して歯面１６ａに沿って歯底１６ｂ側に摺動し、その途上で進行方向前方にある歯３３の外側フランク３３ｂがスプロケット歯１６の歯面１６ａに接触して歯底側に滑り込み、一対の歯３３，３３の両外側フランク３３ｂ、３３ｂがそれぞれスプロケット歯１６，１６の歯面１６ａ，１６ａに接触して着座する（図１１参照。）。
【００５５】
この着座状態では内側フランク３３ａ、３３ａ及びクロッチ部３３ｅがスプロケット歯１６と非接触状態になっている。この場合、内側フランク３３ａは噛合い作動中スプロケット歯１６と一度も接触することなく、また、進行方向前方にある歯３３の外側フランク３３ｂは着座時のみスプロケット歯１６と接触する。
【００５６】
サイレントチェーンは、各々の列に配置されている他のリンクプレート３５，３８もそれぞれ上記リンクプレート３２と同じような噛合い作動する。そのため、サイレントチェーンがスプロケットに巻付き始め、リンクプレート３２，３５，３８の歯３３，３６，３９がスプロケット歯１６と噛み合うとき、図１２に示すように、各列内にある各リンクプレートの歯３３，３６，３９の噛合い開始起点ｑ１，ｑ２，ｑ３がスプロケット歯１６に順次接触するので、接触タイミングが分散され、噛合い開始時における衝撃騒音を抑制することができる。
【００５７】
また、リンクプレート３２，３５，３８は、スプロケット歯１６との噛合い開始時におけるばね定数ｋ４，ｋ５，ｋ６が異なるので、これらリンクプレート３２，３５，３８が順次噛合い始めると、ガイド列及びリンク列の各々の列内におけるリンクプレート列のばね定数が徐々に増加するため制振作用が得られる。それと共に、振動発生のタイミングが分散されるので、チェーンの振動騒音を抑制することができる。
【実施例４】
【００５８】
実施例４のサイレントチェーン（図示略）は、前記実施例３のサイレントチェーンと同じように、一対の歯を有する複数のリンクプレートからなる外股噛合い・外股着座タイプのサイレントチェーンであり、実施例３のサイレントチェーンとは、実施例３のサイレントチェーンとは、リンクプレートの噛合い開始起点の形成態様が相違するだけである。そこで、図１３を参照して、リンクプレートの歯の形状について以下説明する。図１３は実施例４のサイレントチェーンに用いる第４のリンクプレートの要部を示し、歯先端部近傍の外側フランクに逃がし凹部を形成した歯の噛合い開始起点の説明図である。
【００５９】
このサイレントチェーンは、噛合いピッチ寸法、ピン孔中心間距離が同一で、噛合い開始起点の位置が異なる鋼板製の３種類の第４のリンクプレートからなる。各第４のリンクプレートの歯４１，４２，４３は、内側フランク４１ａ，４２ａ，４３ａ及び外側フランク４１ｂ，４２ｂ，４３ｂを有する。歯の歯先端部近傍の外側フランク４１ｂ，４２ｂ，４３ｂの異なった位置に外縁端部４１ｃ，４２ｃ，４３ｃを有する逃げ凹部４１ｄ，４２ｄ，４３ｄが形成され、これら逃げ凹部の外縁端部４１ｃ，４２ｃ，４３ｃがスプロケット歯１６に噛合い始める噛合い開始起点ｑ４，ｑ５，ｑ６となっている。
【００６０】
前記３種類の第４のリンクプレートは、スプロケット歯１６との噛合い開始起点ｑ４，ｑ５，ｑ６の位置が異なることにより、スプロケット歯１６との噛合い開始時におけるばね定数が異なり、このばね定数が異なるリンクプレートが複数チェーン長手方向に相互に位置をずらせてランダムにガイド列及びリンク列に配置される。
【００６１】
以上実施例４のサイレントチェーンの構成について説明したが、以下作用効果について説明する。サイレントチェーンがスプロケットに巻付き始め、各リンクプレートの歯４１がスプロケット歯１６と噛み合うとき、各列内にあるリンクプレートの噛合い開始起点ｑ４，ｑ５，ｑ６がスプロケット歯１６に順次接触するので、スプロケット歯とリンクプレートの歯との接触タイミングが分散され、接触時の衝撃騒音を抑制することができる。
【００６２】
また、各リンクプレートは、スプロケット歯１６との噛合い開始時におけるばね定数が異なるので、各リンクプレートが順次噛合い始めると、ガイド列及びリンク列の各々の列内におけるリンクプレート列のばね定数が徐々に増加するため制振作用が得られる。それと共に、振動発生のタイミングが分散されるので、チェーンの振動騒音を抑制することができる。
【実施例５】
【００６３】
実施例５のサイレントチェーンは、前記実施例１，２の所謂内股噛合い・外股着座タイプのサイレントチェーンで用いた第１のリンクプレート、第２のリンクプレート、あるいは前記実施例３，４の所謂外股噛合い・外股着座タイプのサイレントチェーンで用いた第３のリンクプレート、第４のリンクプレートを適宜に用い、スプロケット歯との噛合い開始時におけるばね定数が異なる２種類以上のリンクプレートをガイド列及びリンク列にランダムに多数配置して構成したものである。
【００６４】
上記実施例５のサイレントチェーンは、前記実施例１〜４のサイレントチェーンと同様に、サイレントチェーンがスプロケットに巻き付く際、スプロケット歯とリンクプレートの歯との接触タイミングが分散されるため、接触時の衝撃騒音を抑制することができ、また、スプロケット歯との噛合い開始時におけるばね定数の異なるリンクプレートがタイミングをずらせて接触し、ガイド列及びリンク列の各々の列内におけるリンクプレート列のばね定数が順次増加するため、制振作用が得られると共に、振動発生のタイミングが分散され、チェーンの振動騒音を抑制することができる。
【００６５】
以上実施例１〜４として、サイレントチェーンが、スプロケット歯との噛合い開始時におけるばね定数が異なる３種類のリンクプレートで構成されたものとして説明したが、本発明のサイレントチェーンは、スプロケット歯との噛合い開始時におけるばね定数が異なる少なくとも２種類のリンクプレート、すなわち２種類以上のリンクプレートで構成されたものであればよい。また、ガイドプレートは、必ずしもガイド列の最外に設ける必要はなく、ガイド列の内側、例えば中央に設けられていても構わない。連結ピンとしては、丸ピンの代わりに通常サイレントチェーンに使用されている所謂ロッカーピンを用いても構わない。さらに、第１〜第４のいずれかのリンクプレートを標準仕様のリンクプレートと混在させてサイレントチェーンを構成しても構わない。また、リンクプレートの歯は、ピン孔の中心線Ｌから歯先までの距離は、同じでも、異なっていてもよく、要するに噛合い開始起点が異なっていればよい。
【図面の簡単な説明】
【００６６】
【図１】本発明実施例１のサイレントチェーンの一部平面図である。
【図２】サイレントチェーンの一部側面図である。
【図３】（Ａ）、（Ｂ）、（Ｃ）は歯先端部近傍の形状が異なる各リンクプレートの側面図である。
【図４】図３の各第１のリンクプレートを重ねたときの歯先端部近傍の形状比較説明図である。
【図５】スプロケット歯とリンクプレートの歯との噛合い過程の説明図である。
【図６】歯先端部近傍の形状が異なるリンクプレートの歯の噛合い開始起点の説明図である。
【図７】スプロケット歯に噛み合うときのばね定数の時間変化を示すグラフであり、（Ａ）は本発明対応、（Ｂ）は従来例対応の説明図である。
【図８】本発明実施例２のリンクプレートの要部を示し、歯先端部近傍の内側フランクに逃がし凹部を形成した歯の噛合い開始起点の説明図である。
【図９】本発明実施例３のリンクプレートを示し、（Ａ）、（Ｂ）、（Ｃ）は歯先端部近傍の形状が異なる各リンクプレートの側面図である。
【図１０】図９の各第３のリンクプレートを重ねたときの歯先端部近傍の形状比較説明図である。
【図１１】スプロケット歯とリンクプレートの歯との噛合い過程の説明図である。
【図１２】歯先端部近傍の形状が異なるリンクプレートの歯の噛合い開始起点の説明図である。
【図１３】本発明実施例４のリンクプレートの要部を示し、歯先端部近傍の外側フランクに逃がし凹部を形成した歯の噛合い開始起点の説明図である。
【図１４】従来のサイレントチェーンに用いるリンクプレートの正面図である。
【符号の説明】
【００６７】
１    サイレントチェーン
２，５，８    第１のリンクプレート
３，６，９    第１のリンクプレートの歯
３ａ，６ａ、９ａ    内側フランク
３ｂ，６ｂ、９ｂ    外側フランク
３ｃ，６ｃ，９ｃ    歯先
３ｄ，６ｄ，９ｄ    湾曲面
３ｅ    クロッチ部
４，７，１０    ピン孔
１１    ガイド列
１２    リンク列
１３    ピン孔
１４    ガイドプレート
１５    連結ピン
１６    スプロケット歯
１６ａ  歯面
１６ｂ  歯底
Ｌ      ピン孔中心線
ｍ１，ｍ２，ｍ３    ピン孔中心線から噛合い開始起点までの距離
ｐ１，ｐ２，ｐ３    噛合い開始起点
２１，２２，２３    第２のリンクプレートの歯
２１ａ，２２ａ，２３ａ    内側フランク
２１ｂ，２２ｂ，２３ｂ    外側フランク
２１ｃ，２２ｃ，２３ｃ    外縁端部
２１ｄ，２２ｄ，２３ｄ    逃げ凹部
ｐ４，ｐ５，ｐ６    噛合い開始起点
３２，３５，３８    第３のリンクプレート
３３，３６，３９    第３のリンクプレートの歯
３３ａ，３６ａ，３９ａ    内側フランク
３３ｂ，３６ｂ，３９ｂ    外側フランク
３３ｃ，３６ｃ，３９ｃ    歯先
３３ｄ，３６ｄ，３９ｄ    湾曲面
３３ｅ    クロッチ部
３４，３７，４０    ピン孔
ｎ１，ｎ２，ｎ３    ピン孔中心線Ｌから噛合い開始起点までの距離
ｑ１，ｑ２，ｑ３    噛合い開始起点
４１，４２，４３    第４のリンクプレートの歯
４１ａ，４２ａ，４３ａ    内側フランク
４１ｂ，４２ｂ，４３ｂ    外側フランク
４１ｃ，４２ｃ，４３ｃ    外縁端部
４１ｄ，４２ｄ，４３ｄ    逃げ凹部
ｑ４，ｑ５，ｑ６    噛合い開始起点
【図１】
2008138789.tif 000003
【図２】
2008138789.tif 000004
【図３】
2008138789.tif 000005
【図４】
2008138789.tif 000006
【図５】
2008138789.tif 000007
【図６】
2008138789.tif 000008
【図７】
2008138789.tif 000009
【図８】
2008138789.tif 000010
【図９】
2008138789.tif 000011
【図１０】
2008138789.tif 000012
【図１１】
2008138789.tif 000013
【図１２】
2008138789.tif 000014
【図１３】
2008138789.tif 000015
【図１４】
2008138789.tif 000016